(57)【要約】【課題】本発明は、差動信号伝送方式を採用し、コネクタは内側列電極と外側列電極を備え、差動トレースのバランスを確保してスキューを解消し、信頼性の向上化を得る電気回路装置を提供する。【解決手段】フレキシブル配線基板５に等長のＰチャンネル配線６ａとＮチャンネル配線６ｂによって差動信号線を形成し、内側列電極８ａと、外側列電極８ｂを有しフレキシブル配線基板端部が挿入する第１のコネクタ３Ａを備え、内側列電極８ａと、外側列電極８ｂを有しフレキシブル配線基板の他端部が挿入する第２のコネクタ３Ｂを備え、フレキシブル配線基板端部でＰチャンネル配線を第１のコネクタの内側列電極、Ｎチャンネル配線を外側列電極と接続し、フレキシブル配線基板の他端部でＰチャンネル配線を第２のコネクタの外側列電極、Ｎチャンネル配線を内側列電極と接続する。【選択図】    図５
2010074095.tif 000002
【特許請求の範囲】
【請求項１】
等長のＰチャンネル配線とＮチャンネル配線によって差動信号線が形成されるフレキシブル配線基板と、
前記フレキシブル配線基板の一端部が挿入され、前記差動信号線と電気的に接続される第１のコネクタと、
前記第１のコネクタに設けられ、前記フレキシブル配線基板端部の挿入手前側に設けられる内側列電極および、挿入奥側に設けられる外側列電極と、
前記フレキシブル配線基板の他端部が挿入され、前記差動信号線と電気的に接続される第２のコネクタと、
前記第２のコネクタに設けられ、フレキシブル配線基板他端部の挿入手前側に設けられる内側列電極および、挿入奥側に設けられる外側列電極とを具備し、
前記フレキシブル配線基板の一端部において、Ｐチャンネル配線が第１のコネクタの内側列電極と接続され、Ｎチャンネル配線が第１のコネクタの外側列電極と接続され、
前記フレキシブル配線基板の他端部において、Ｐチャンネル配線が第２のコネクタの外側列電極と接続され、Ｎチャンネル配線が第２のコネクタの内側列電極と接続されることを特徴とする電気回路装置。
【請求項２】
等長のＰチャンネル配線とＮチャンネル配線によって差動信号線が形成されるフレキシブル配線基板と、
前記フレキシブル配線基板の一端部が挿入され、前記差動信号線と電気的に接続される第１のコネクタと、
前記第１のコネクタに設けられ、前記フレキシブル配線基板端部の挿入手前側に設けられる内側列電極および、挿入奥側に設けられる外側列電極と、
前記フレキシブル配線基板の他端部が挿入され、前記差動信号線と電気的に接続される第２のコネクタと、
前記第２のコネクタに設けられ、フレキシブル配線基板他端部の挿入手前側に設けられる内側列電極および、挿入奥側に設けられる外側列電極とを具備し、
前記フレキシブル配線基板の一端部において、Ｐチャンネル配線とＮチャンネル配線の双方が、第１のコネクタの内側列電極と接続され、
前記フレキシブル配線基板の他端部において、Ｐチャンネル配線とＮチャンネル配線の双方が、第２のコネクタの内側列電極と接続されることを特徴とする電気回路装置。
【請求項３】
等長のＰチャンネル配線とＮチャンネル配線によって差動信号線が形成されるフレキシブル配線基板と、
前記フレキシブル配線基板の一端部が挿入され、前記差動信号線と電気的に接続される第１のコネクタと、
前記第１のコネクタに設けられ、前記フレキシブル配線基板端部の挿入手前側に設けられる内側列電極および、挿入奥側に設けられる外側列電極と、
前記フレキシブル配線基板の他端部が挿入され、前記差動信号線と電気的に接続される第２のコネクタと、
前記第２のコネクタに設けられ、フレキシブル配線基板他端部の挿入手前側に設けられる内側列電極および、挿入奥側に設けられる外側列電極とを具備し、
前記フレキシブル配線基板の一端部において、Ｐチャンネル配線とＮチャンネル配線の双方が、第１のコネクタの内側列電極と接続され、
前記フレキシブル配線基板の他端部において、Ｐチャンネル配線とＮチャンネル配線の双方が、第２のコネクタの外側列電極と接続されることを特徴とする電気回路装置。
【請求項４】
等長のＰチャンネル配線とＮチャンネル配線によって差動信号線が形成されるフレキシブル配線基板と、
前記フレキシブル配線基板の一端部が挿入され、前記差動信号線と電気的に接続される第１のコネクタと、
前記第１のコネクタに設けられ、前記フレキシブル配線基板端部の挿入手前側に設けられる内側列電極および、挿入奥側に設けられる外側列電極と、
前記フレキシブル配線基板の他端部が挿入され、前記差動信号線と電気的に接続される第２のコネクタと、
前記第２のコネクタに設けられ、フレキシブル配線基板他端部の挿入手前側に設けられる内側列電極および、挿入奥側に設けられる外側列電極とを具備し、
前記フレキシブル配線基板の一端部において、Ｐチャンネル配線とＮチャンネル配線の双方が、第１のコネクタの外側列電極と接続され、
前記フレキシブル配線基板の他端部において、Ｐチャンネル配線とＮチャンネル配線の双方が、第２のコネクタの内側列電極と接続されることを特徴とする電気回路装置。
【請求項５】
等長のＰチャンネル配線とＮチャンネル配線によって差動信号線が形成されるフレキシブル配線基板と、
このフレキシブル配線基板の一端部が挿入され、前記差動信号線と電気的に接続される第１のコネクタと、
前記第１のコネクタに設けられ、前記フレキシブル配線基板端部の挿入手前側に設けられる内側列電極および、挿入奥側に設けられる外側列電極と、
前記フレキシブル配線基板の他端部が挿入され、前記差動信号線と電気的に接続される第２のコネクタと、
前記第２のコネクタに設けられ、フレキシブル配線基板他端部の挿入手前側に設けられる内側列電極および、挿入奥側に設けられる外側列電極とを具備し、
前記フレキシブル配線基板の一端部において、Ｐチャンネル配線とＮチャンネル配線の双方が、第１のコネクタの外側列電極と接続され、
前記フレキシブル配線基板の他端部において、Ｐチャンネル配線とＮチャンネル配線の双方が、第２のコネクタの外側列電極と接続されることを特徴とする電気回路装置。
【発明の詳細な説明】
【技術分野】
【０００１】
本発明は、たとえば携帯電話等に搭載され、電子部品を実装するプリント配線基板相互間をフレキシブル配線基板で接続し、このフレキシブル配線基板を介して差動信号を伝送する電気回路装置に関する。
【背景技術】
【０００２】
たとえば携帯電話等に搭載される電気回路装置において、近年は、「差動信号伝送方式」と呼ばれる信号伝送方式が多用される。これは、フレキシブル配線基板にＰチャンネル配線とＮチャンネル配線との２本の差動信号線を形成し、コネクタを介して電子部品相互を電気的に接続する。
【０００３】
この種の信号伝送方式を採用することで、従来から用いられたシングルエンド伝送方式と比較して、それぞれのチャンネル配線が伝送する信号の振幅幅が小さくてすみ、ノイズに強い特徴がある。そして、単位時間に多くの信号を送ることができ、より速く、より大量の情報伝送が可能である。
【０００４】
ただし、差動信号伝送方式は２本の差動信号線を用いて信号を伝送するので、互いの差動信号線との間で、信号の伝送時間に差が生じ、タイミングずれがあって、いわゆるスキューと呼ばれる現象が発生し易い。スキュー現象があると、データを判別するための時間が不足し、データ伝送品質が低下してしまう。
【０００５】
スキューの発生要因として、差動信号線対の長さが互いに相違する場合と、互いの差動信号線長は完全同一であるが、電子部品配線とフレキシブル配線基板端部とを接続するコネクタの構造を原因とする場合が考えられる。
【０００６】
［特許文献１］は、複数組の差動信号線対を２つの接続端子間において一筆書きで結ぶよう、ジグザグ状に形成することで、結果として差動信号線対組間の配線長の相違を吸収する。このような技術をもって差動信号の伝送品質劣化を防止できるとすると、後者であるコネクタの構造に問題が残る。
【０００７】
ところで、電子部品とともにコネクタも、より小型化が求められている。そこで、フレキシブル配線基板の挿入方向とは直交する方向で、かつ端部挿入の手前側と奥側に、電極を１つ置きに列状に並べた、いわゆる「千鳥状配列」をなす電極を備えたコネクタが採用され、必要な電極数を確保したうえで、幅方向長さが縮小化し小型化を得られる。
【特許文献１】特開２００４−３２５８２０号公報
【発明の開示】
【発明が解決しようとする課題】
【０００８】
なお、前記コネクタについて説明すると、フレキシブル配線基板端部を弾性的に挟持固定するよう、垂直部と、この垂直部と一体に設けられる下片部と上片部とで、断面がコ字状に一体形成されるリードを備えている。このリードの下片部先端の上面に接点からなる内側（挿入手前側）列電極もしくは外側（挿入奥側）列電極が設けられる。
【０００９】
ただし、内側列電極を備えたリードの下片部と上片部との長さ寸法は、外側列電極を備えたリードの下片部と上片部との長さ寸法よりも短い。また、外側列電極を備えたリードでは下片部先端下面、内側列電極を備えたリードでは垂直部下面に、夫々はんだ付け用電極が設けられる。これらはんだ付け用電極は、コネクタを実装するプリント配線基板の信号線を介して、このプリント配線基板に実装される電子部品と接続する。
【００１０】
このような電気回路装置において、以下に述べる解決すべき課題がある。
【００１１】
（１）  コネクタに設けられる内側列電極を備えたリードと、外側列電極を備えたリードとでは、互いに形状が異なっている。内側列電極を備えたリードの下片部長さと上片部長さは、外側列電極を備えたリードの下片部長さと上片部長さよりも短く形成される。
【００１２】
（２）  コネクタの内側列電極と外側列電極が千鳥状に配列されることで、これら電極に接続されるフレキシブル配線基板の電極も千鳥状の配列となる。そして、各リードに設けられるはんだ付け用電極も千鳥状の配列となり、これらはんだ付け用電極に接続されるプリント配線基板に設けられる電極も千鳥状の配列となる。
【００１３】
（３）  コネクタに設けられる内側列電極と、外側列電極の位置が、コネクタの長手方向に対してずれているので、フレキシブル配線基板に形成される信号線の電極からコネクタを介して電子部品へ導かれる信号の伝送経路（信号パス）長が相違する。
【００１４】
すなわち、内側列電極にフレキシブル配線基板端部電極を接続すると、信号はフレキシブル配線基板の信号線から、フレキシブル配線基板端部電極と、コネクタの内側列電極からはんだ付け用電極に流れる。したがって、信号はコネクタに導かれた途端に、コネクタから出ることになり、実際の信号伝送経路長はほとんど無いに等しい。
【００１５】
これに対して、外側列電極にフレキシブル配線基板端部電極を接続すると、信号はフレキシブル配線基板の信号線から、フレキシブル配線基板端部電極と、コネクタの外側列電極からはんだ付け用電極に流れる。したがって、信号はコネクタ内部を長手方向に縦断して導かれることになり、内側列電極に接続する場合よりも長い信号伝送経路長となる。
【００１６】
（４）  コネクタは、リードの構造上、信号が流れる信号伝送経路部分と、信号が流れない非信号伝送経路部分とに分けられる。コネクタの内側列電極と、外側列電極の位置がコネクタの長手方向に沿ってずれているので、リードにおける非信号伝送経路部分の長さが異なる。
【００１７】
すなわち、フレキシブル配線基板端部電極を内側列電極に接続した場合は、信号伝送経路以外のリードのほとんど大部分は、一端がどこにも接続されていないため、信号伝送に寄与しないオープンスタブとなる。これに対して、フレキシブル配線基板端部電極を外側電極に接続した場合は、リードの極くわずかの部分がオープンスタブとなる。
【００１８】
いずれのオープンスタブも、信号伝送特性を劣化させる要因となる。基板端部電極を内側列電極に接続する場合は、オープンスタブの長さが極く長く形成されるのに対して、外側列電極に接続する場合はオープンスタブの長さが極めて短くてすむので、外側列電極よりも内側列電極に接続すると、信号伝送特性の劣化がより顕著となる。
【００１９】
（５）  コネクタとプリント配線基板に実装される電子部品とを接続すべく、コネクタから信号線を引き出す必要がある。内側列電極と外側列電極の位置が、コネクタの長手方向に対してずれているので、信号線の引き出し方向の相違によっても、トレース（導体パターン）長が変る。
【００２０】
たとえば、フレキシブル配線基板端部電極をコネクタの内側列電極に接続し、かつ信号線をフレキシブル配線基板とは反対側に引き出す場合は、はんだ付け用電極が内側列電極の裏面部位に設けられているので、信号線はコネクタの長手方向に沿って縦断する長いトレース長となる。
【００２１】
また、フレキシブル配線基板端部電極をコネクタの外側列電極に接続し、かつ信号線をフレキシブル配線基板とは反対側に引き出す場合は、はんだ付け用電極が信号線の引き出し側端部であるリードの垂直部下面部位に設けられているので、信号線はコネクタ端部だけの短いトレース長となる。
【００２２】
逆の場合、すなわち信号線をフレキシブル配線基板と同じ方向に引き出す場合において、内側列電極からはんだ付け用電極を介して接続される信号線は極く短いトレース長ですむが、外側列電極からはんだ付け用電極を介して接続される信号線はコネクタの長手方向に沿って縦断する長いトレース長となる。
【００２３】
（６）  フレキシブル配線基板の両側端部には、コネクタに千鳥状配列される内側列電極と外側列電極に対応する列と個数の電極が設けられていて、両側端部の電極相互間に亘って信号線が形成される。さらに、それぞれの電極からフレキシブル配線基板の端縁に亘ってめっき線が形成される。
【００２４】
換言すれば、フレキシブル配線基板における信号線の長さである配線長は、一端部の電極から他端部の電極までの長さとなる。そして、コネクタの内側列電極に接続されるフレキシブル配線基板の配線長は、外側列電極に接続される配線長よりも短く形成されることになる。
【００２５】
（７）  フレキシブル配線基板の端末に形成された配線の長さは、コネクタの内側列電極に接続されるフレキシブル配線基板の電極から端縁までのめっき線よりも、外側列電極に接続されるフレキシブル配線基板の電極から端縁までのめっき線が短い。めっき線も信号伝送特性を劣化させるオープンスタブであるので、フレキシブル配線基板の信号配線の特性は、めっき線が長くなる内側電極が外側電極よりも悪くなる。
【００２６】
このように、内側列電極と外側列電極を備えたコネクタを用いることで、解決すべき課題が（１）〜（７）まで存在する。  
上述の（３）、（５）、（６）により、差動信号線を形成するＰチャンネル配線とＮチャンネル配線との配線長が互いに等しくならない。（４）、（７）により差動信号線を形成するＰチャンネル配線とＮチャンネル配線に信号特性を劣化させるオープンスタブの長さ（分岐配線長）が等しくならない。  
その結果、差動信号であるＰチャンネル信号とＮチャンネル信号のバランスが崩れて、スキュー発生の要因となる。
【００２７】
本発明は上記事情にもとづきなされたものであり、その目的とするところは、フレキシブル配線基板において差動信号伝送方式を採用することと、フレキシブル配線基板と接続するコネクタは内側列電極と外側列電極を備えることを前提として、差動トレースのバランスを確保してスキューを解消し、信頼性の向上化を得る電気回路装置を提供しようとするものである。
【課題を解決するための手段】
【００２８】
上記目的を満足するため本発明の電気回路装置は、等長のＰチャンネル配線とＮチャンネル配線によって差動信号線が形成されるフレキシブル配線基板の一端部が挿入され差動信号線と電気的に接続される第１のコネクタと、この第１のコネクタに設けられフレキシブル配線基板端部の挿入手前側に設けられる内側列電極および挿入奥側に設けられる外側列電極と、フレキシブル配線基板の他端部が挿入され差動信号線と電気的に接続される第２のコネクタと、この第２のコネクタに設けられフレキシブル配線基板他端部の挿入手前側に設けられる内側列電極および挿入奥側に設けられる外側列電極とを具備し、  
フレキシブル配線基板の一端部において、Ｐチャンネル配線を第１のコネクタの内側列電極と接続し、Ｎチャンネル配線を第１のコネクタの外側列電極と接続し、フレキシブル配線基板の他端部において、Ｐチャンネル配線を第２のコネクタの外側列電極と接続し、Ｎチャンネル配線を第２のコネクタの内側列電極と接続する。
【発明の効果】
【００２９】
本発明によれば、差動信号伝送方式を採用するとともに、内側列電極と外側列電極を備えたコネクタを用いるうえで、差動トレースのバランスを確保し、スキューを解消して信頼性の向上化を得る等の効果を奏する。
【発明を実施するための最良の形態】
【００３０】
以下、本発明の実施の形態を、図面にもとづいて説明する。  
図１は、電気回路装置Ｋの概略の構成図である。  
図の左側に第１のプリント配線基板１Ａが配置され、図の右側に第２のプリント配線基板１Ｂが配置される。第１のプリント配線基板１Ａには電子部品２Ａおよび第１のコネクタ３Ａが、互いに離間した位置に実装される。前記第２のプリント配線基板１Ｂには電子部品２Ｂおよび第２のコネクタ３Ｂが、互いに離間した位置に実装される。
【００３１】
前記第２のプリント配線基板１Ｂにおける電子部品２Ｂは、たとえば信号を送るドライバであり、第２のコネクタ３Ｂと互いに信号線４Ｂを介して電気的に接続される。前記第１のプリント配線基板１Ａにおける電子部品２Ａは、信号を受けるレシーバーであり、第１のコネクタ３Ａと互いに信号線４Ａを介して電気的に接続される。
【００３２】
第１のコネクタ３Ａおよび第２のコネクタ３Ｂには、フレキシブル配線基板５端部が挿入される。したがって、第１のプリント配線基板１Ａに実装される電子部品２Ａと、第２のプリント配線基板１Ｂに実装される電子部品２Ｂは、第１のコネクタ３Ａとフレキシブル配線基板５および第２のコネクタ３Ｂを介して電気的に接続される。
【００３３】
上記フレキシブル配線基板５は、複数本の信号線６が狭小のピッチを存して並設されている。「差動信号伝送方式」による信号伝送を行うにあたって、２本の信号線６をＰチャンネル配線とＮチャンネル配線として用いることで、差動信号線が形成される。ここでは、後述する所定の差動信号線が第１のプリント配線基板１Ａに実装される電子部品２Ａと、第２のプリント配線基板１Ｂに実装される電子部品２Ｂの接続に用いられる。
【００３４】
フレキシブル配線基板５において差動信号線として用いられる以外の信号線６は、図示しない他の電子部品相互の電気的接続に用いられる。あるいは各プリント配線基板１Ａ，１Ｂを介して他の配線回路に用いられ、あるいは各プリント配線基板１Ａ，１Ｂ裏面に形成されるＧＮＤパターンにスルーホールを介して接続される。
【００３５】
電気回路装置Ｋとしての概略構成は以上の通りであり、つぎに第１のコネクタ３Ａについて詳述する。第２のコネクタ３Ｂは第１のコネクタ３Ａと同一の部品であるので、説明を省略する。
【００３６】
図２（ａ）は第１のコネクタ３Ａの電極配列を示す平面図。図２（ｂ）は第１のコネクタ３Ａを構成するリードＲ１，Ｒ２と、はんだ付け用電極１０ａ，１０ｂおよび接点８ａ，８ｂの位置関係を示す平面図。図２（ｃ１）は図２（ｂ）のｃ１−ｃ１線に沿う概略の断面図。図２（ｃ２）は図２（ｂ）のｃ２−ｃ２線に沿う概略の断面図。
【００３７】
上記コネクタ３Ａには、金属製で寸法形状の異なる２種類のリード（以下、「長リードＲ１」と「短リードＲ２」と呼ぶ）が、１つ置きに所定間隔を存して並行に設けられる。長短それぞれのリードＲ１，Ｒ２は、断面が略コ字状をなすよう一体形成される。
【００３８】
長リードＲ１の垂直部ｅ１と、短リードＲ２の垂直部ｅ２は、互いに同じ高さ寸法をなす。垂直部ｅ１の下端に下片部ｄ１が一体に設けられ、垂直部ｅ２の下端に下片部ｄ２が一体に設けられる。短リードＲ２の下片部ｄ２長さは、長リードＲ１の下片部ｄ１長さの半分程度しかない。
【００３９】
長リードＲ１の垂直部ｅ１の上端に上片部ｆ１が設けられる。短リードＲ２の垂直部ｅ２の上端に上片部ｆ２が設けられる。短リードＲ２における上片部ｆ２の長さは、長リードＲ１の上片部ｆ２長さの半分以下しかない。
【００４０】
長リードＲ１の下片部ｄ１先端下面にはんだ付け用電極１０ａが設けられ、このはんだ付け用電極１０ａが設けられる部位と下片部ｄ１を介して上面側に接点８ａが設けられる。短リードＲ２では、垂直部ｅ２下面にはんだ付け用電極１０ｂが設けられ、下片部ｄ２先端上面に接点８ｂが設けられる。この接点８ｂとはんだ付け用電極１０ｂは、コネクタ３Ａの長手方向に対して互いに相違する位置となる。
【００４１】
はんだ付け用電極１０ａ，１０ｂは、電子部品２Ａと接続する信号線４Ａにはんだ付けされる。接点８ａ，８ｂは、フレキシブル配線基板５の電極と接続する。すなわち、接点８ａ，８ｂは、第１のコネクタ３Ａの電極そのものであるので、この接点を、「電極」と言い換える。
【００４２】
長リードＲ１の電極（接点）８ａは、フレキシブル配線基板５の一端部５ａを第１のコネクタ３Ａに挿入する方向を基準として挿入手前側に位置するので、これら電極を内側列電極８ａと呼ぶ。
【００４３】
また、短リードＲ２の電極（接点）８ｂは、フレキシブル配線基板５の一端部５ａを第１のコネクタ３Ａに挿入する方向を基準として挿入奥側に位置するので、これら電極を外側列電極８ｂと呼ぶ。
【００４４】
つぎに、フレキシブル配線基板５の具体的な構造について説明する。  
図３に、フレキシブル配線基板５の一端部５ａを示すが、他端部については一端部５ａと同一構造であるので、説明を省略する。  
図３（ａ）は、フレキシブル配線基板５の一端部５ａの平面図。図３（ｂ）は、図３（ａ）のｂ−ｂ線に沿う概略の断面図。図３（ｃ）は、図３（ａ）のｃ−ｃ線に沿う概略の断面図。
【００４５】
フレキシブル配線基板５の一端部５ａ下面には、前記したコネクタ３Ａの内側列電極８ａと外側列電極８ｂに対応する列と個数の電極１１ａ，１１ｂが設けられる。それぞれの電極１１ａ，１１ｂからフレキシブル配線基板他端部５ｂへ信号線６が形成されるとともに、コネクタ３Ａ側端縁へめっき線６ｚが形成される。
【００４６】
すなわち、フレキシブル配線基板５の下面には予め、コネクタ３Ａの内側列電極８ａと外側列電極８ｂとのピッチに合せ、全長に亘って配線が設けられる。配線上の所定部位に電極１１ａ，１１ｂが形成され、一方から他方の電極１１ａ，１１ｂ相互間の配線が信号線６となり、各電極から基板５端縁までの配線はめっき線６ｚとなる。
【００４７】
図４（ａ）は、第１のコネクタ３Ａにフレキシブル配線基板５の一端部５ａを接続した状態の概略平面図。図４（ｂ）は図４（ａ）のｂ−ｂ線に沿う断面図。図４（ｃ）は図４（ａ）のｃ−ｃ線に沿う断面図。
【００４８】
第１のコネクタ３Ａにフレキシブル配線基板５の一端部５ａを挿入しロックすると、長リードＲ１と短リードＲ２が、フレキシブル配線基板端部５ａを弾性的に挟持固定する。この状態で図４（ｂ）に示すように、第１のコネクタ３Ａの内側列電極８ａに、フレキシブル配線基板５の対応する電極１１ａが接続される。  
同時に図４（ｃ）に示すように、第１のコネクタ３Ａの外側列電極８ｂに、フレキシブル配線基板５の対応する電極１１ｂが接続される。
【００４９】
［発明が解決しようとする課題］の欄で説明したように、コネクタ３Ａでは内側列電極８ａと外側列電極８ｂの位置が、コネクタ３Ａの長手方向に対してずれているので、（１）〜（７）に亘って解決すべき課題が存在する。
【００５０】
そこで、コネクタ３Ａの構造と、フレキシブル配線基板５の構造をそのままとし、差動信号伝送方式を採用することの変更も無しに、Ｐチャンネル配線とＮチャンネル配線での差動トレースのバランスを確保してスキューを解消し、信頼性の向上化を得る電気回路装置Ｋを提供する。
【００５１】
図５から図１０に亘って、最良な実施の形態における電気回路装置Ｋａ〜Ｋｆの構成を模式的に示している。全て、第１のコネクタ３Ａと第２のコネクタ３Ｂにおいては、内側列電極８ａと外側列電極８ｂのみを示す。また、フレキシブル配線基板５においては、差動信号線を構成するＰチャンネル配線６ａとＮチャンネル配線６ｂのみを示す。
【００５２】
図５は、第１の実施の形態における電気回路装置Ｋａの構成を、模式的に示す図である。  
フレキシブル配線基板５の一端部が第１のコネクタ３Ａに挿入されて、Ｐチャンネル配線６ａが内側列電極８ａと接続され、Ｎチャンネル配線６ｂが外側列電極８ｂと接続される。これら内外側列電極８ｂ，８ｂには信号線４Ａが接続され、第１のプリント配線基板１Ａに実装した前記電子部品２Ａへ引き出される。
【００５３】
また、フレキシブル配線基板５の他端部が第２のコネクタ３Ｂに挿入されて、Ｐチャンネル配線６ａが外側列電極８ｂと接続され、Ｎチャンネル配線６ｂが内側列電極８ａと接続される。これら内外側列電極８ｂ，８ｂには信号線４Ｂが接続され、第２のプリント配線基板１Ｂに実装した前記電子部品２Ｂへ引き出される。
【００５４】
このようにして電気回路装置Ｋａが構成され、第２のプリント配線基板１Ｂの電子部品２ＢをドライバとしてＨ信号が信号線４Ｂから第２のコネクタ３Ｂの外側列電極８ｂを介してＰチャンネル配線６ａに送られる。Ｈ信号は、第１のコネクタ３Ａの内側列電極８ａと、信号線４Ａを介して第１のプリント配線基板１Ａの電子部品２Ａに受けられる。
【００５５】
同時に、第２のプリント配線基板１Ｂの電子部品２ＢをドライバとしてＬ信号が信号線４Ｂから第２のコネクタ３Ｂの内側列電極８ａを介してＮチャンネル配線６ｂに送られる。Ｌ信号は、第１のコネクタ３Ａの外側列電極８ｂと、信号線４Ａを介して第１のプリント配線基板１Ａの電子部品２Ａに受けられる。
【００５６】
そのあと、ドライバ側電子部品２ＢからＰチャンネル配線６ａにＬ信号が送られ、Ｎチャンネル配線６ｂにＨ信号が送られる。このようにドライバ側電子部品２Ｂから互いに論理値を逆転した逆位相となる信号が、Ｐチャンネル配線６ａとＮチャンネル配線６ｂに交互に入力され、レシーバ側電子部品２Ａは伝送された信号の電位差でデータを識別する。
【００５７】
上述したように、第１のコネクタ３Ａと第２のコネクタ３Ｂにおいて、内側列電極８ａを形成する長リードＲ１の構造と、外側列電極８ｂを形成する短リードＲ２の構造との相違がある。さらに、Ｐチャンネル配線６ａの信号伝送経路長およびオープンスタブの長さと、Ｎチャンネル配線６ｂの信号伝送経路長およびオープンスタブの長さの相違がある。
【００５８】
したがって、第１のコネクタ３Ａおよび第２のコネクタ３ｂの、それぞれにおけるＰチャンネル配線６ａと、Ｎチャンネル配線６ｂでトレース長が相違し、第１のコネクタ３Ａ内部と、第２のコネクタ３Ｂ内部において信号伝送のアンバランスがあって、個別にはアンバランスを解消することができない。
【００５９】
しかしながら、この実施の形態では、Ｐチャンネル配線６ａ一端部を第１のコネクタ３Ａの内側列電極８ａに接続し、他端部を第２のコネクタ３Ｂの外側列電極８ｂに接続する。また、Ｎチャンネル配線６ｂの一端部を第１のコネクタ３Ａの外側列電極８ｂに接続し、他端部を第２のコネクタ３Ｂの内側列電極８ａに接続する。
【００６０】
すなわち、電気回路装置Ｋａ全体として、Ｐチャンネル配線６ａ側の信号伝送経路長と、Ｎチャンネル配線６ｂ側の信号伝送経路長が互いに同一長となる。さらに、Ｐチャンネル配線６ａ側のオープンスタブの長さと、Ｎチャンネル配線６ｂ側のオープンスタブの長さが互いに同一長となる。
【００６１】
したがって、第１のコネクタ３Ａおよび第２のコネクタ３ｂの、それぞれにおけるＰチャンネル配線６ａと、Ｎチャンネル配線６ｂでトレース長が同一となり、信号伝送のバランスがとれる。電気回路装置Ｋａにおける差動信号伝送経路全体として辻褄を合せられ、差動ペアのアンバランスを解消でき、より大量の情報を、より速やかに伝送できる。
【００６２】
図６は、第２の実施の形態における電気回路装置Ｋｂの構成を、模式的に示す図である。  
フレキシブル配線基板５の一端部が第１のコネクタ３Ａに挿入されて、Ｐチャンネル配線６ａが外側列電極８ｂと接続され、Ｎチャンネル配線６ｂが内側列電極８ａと接続される。これら内外側列電極８ｂ，８ｂには信号線４Ａが接続され、第１のプリント配線基板１Ａに実装した電子部品２Ａへ引き出される。
【００６３】
また、フレキシブル配線基板５の他端部が第２のコネクタ３Ｂに挿入されて、Ｐチャンネル配線６ａが内側列電極８ａと接続され、Ｎチャンネル配線６ｂが外側列電極８ｂと接続される。これら内外側列電極８ｂ，８ｂには信号線４Ｂが接続され、第２のプリント配線基板１Ｂに実装した電子部品２Ｂへ引き出される。
【００６４】
このように電気回路装置Ｋｂが構成されるが、第１のコネクタ３Ａと第２のコネクタ３Ｂにおいて、長リードＲ１の構造と、短リードＲ２の構造との相違、他の相違がある。第１のコネクタ３Ａと第２のコネクタ３Ｂで信号伝送のアンバランスがあり、個別にはアンバランスを解消できない。
【００６５】
しかしながら、Ｐチャンネル配線６ａ一端部を第１のコネクタ３Ａの外側列電極８ｂに接続し、他端部を第２のコネクタ３Ｂの内側列電極８ａに接続する。また、Ｎチャンネル配線６ｂの一端部を第１のコネクタ３Ａの内側列電極８ａに接続し、他端部を第２のコネクタ３Ｂの外側列電極８ｂに接続する。
【００６６】
すなわち、電気回路装置Ｋｂ全体として、Ｐチャンネル配線６ａ側の信号伝送経路長と、Ｎチャンネル配線６ｂ側の信号伝送経路長が互いに同一長となる。さらに、Ｐチャンネル配線６ａ側のオープンスタブの長さと、Ｎチャンネル配線６ｂ側のオープンスタブの長さが互いに同一長となる。
【００６７】
したがって、第１のコネクタ３Ａおよび第２のコネクタ３ｂの、それぞれにおけるＰチャンネル配線６ａと、Ｎチャンネル配線６ｂでトレース長が同一となり、信号伝送のバランスがとれる。電気回路装置Ｋｂにおける差動信号伝送経路全体として辻褄を合せられ、差動ペアのアンバランスを解消でき、より大量の情報を、より速やかに伝送できる。
【００６８】
図７は、第３の実施の形態における電気回路装置Ｋｃの構成を、模式的に示す図である。  
フレキシブル配線基板５の一端部が第１のコネクタ３Ａに挿入されて、フレキシブル配線基板５のＰチャンネル配線６ａが内側列電極８ａと接続され、Ｎチャンネル配線６ｂも内側列電極８ａと接続される。これら内側列電極８ａには信号線４Ａが接続され、第１のプリント配線基板１Ａに実装した電子部品２Ａへ引き出される。
【００６９】
また、フレキシブル配線基板５の他端部が第２のコネクタ３Ｂに挿入されて、フレキシブル配線基板５のＰチャンネル配線６ａが内側列電極８ａと接続され、Ｎチャンネル配線６ｂも内側列電極８ａと接続される。これら内側列電極８ａに信号線４Ｂが接続され、第２のプリント配線基板１Ｂに実装した電子部品２Ｂへ引き出される。
【００７０】
このように電気回路装置Ｋｃが構成されるが、第１のコネクタ３Ａと第２のコネクタ３Ｂにおいて、長リードＲ１の構造と、短リードＲ２の構造との相違、他の相違がある。第１のコネクタ３Ａと第２のコネクタ３Ｂで信号伝送のアンバランスがあり、個別にはアンバランスを解消できない。
【００７１】
しかしながら、第１のコネクタ３Ａにおいて内側列電極８ａを形成する長リードＲ１の構造と、第２のコネクタ３Ｂにおいて内側列電極８ａを形成する長リードＲ１の構造は、互いに同一である。
【００７２】
このことから、第１のコネクタ３Ａにおいて、内側列電極８ａに接続するＰチャンネル配線６ａの信号伝送経路長と、内側列電極８ａに接続するＮチャンネル配線６ｂの信号伝送経路長が同一であり、オープンスタブの長さも同一である。  
また、第２のコネクタ３Ｂにおいても、内側列電極８ａに接続するＰチャンネル配線６ａの信号伝送経路長と、内側列電極８ａに接続するＮチャンネル配線６ｂの信号伝送経路長が同一であり、オープンスタブの長さも同一である。
【００７３】
すなわち、電気回路装置Ｋｃ全体として、Ｐチャンネル配線６ａ側の信号伝送経路長と、Ｎチャンネル配線６ｂ側の信号伝送経路長が互いに同一長となる。さらに、Ｐチャンネル配線６ａ側のオープンスタブの長さと、Ｎチャンネル配線６ｂ側のオープンスタブの長さが互いに同一長となる。
【００７４】
したがって、第１のコネクタ３Ａおよび第２のコネクタ３ｂの、それぞれにおけるＰチャンネル配線６ａと、Ｎチャンネル配線６ｂでトレース長が同一であり、信号伝送のバランスがとれる。電気回路装置Ｋｃにおける差動信号伝送経路全体として辻褄を合せられ、差動ペアのアンバランスを解消でき、より大量の情報を、より速やかに伝送できる。
【００７５】
図８は、第４の実施の形態における電気回路装置Ｋｄの構成を、模式的に示す図である。  
フレキシブル配線基板５の一端部が第１のコネクタ３Ａに挿入されて、Ｐチャンネル配線６ａが内側列電極８ａと接続され、Ｎチャンネル配線６ｂも内側列電極８ａと接続される。これら内側列電極８ａには信号線４Ａが接続され、第１のプリント配線基板１Ａに実装した電子部品２Ａへ引き出される。
【００７６】
また、フレキシブル配線基板５の他端部が第２のコネクタ３Ｂに挿入されて、Ｐチャンネル配線６ａが外側列電極８ｂと接続され、Ｎチャンネル配線６ｂも外側列電極８ｂと接続される。これら外側列電極８ｂに信号線４Ｂが接続され、第２のプリント配線基板１Ｂに実装した電子部品２Ｂへ引き出される。
【００７７】
このように電気回路装置Ｋｄが構成されるが、第１のコネクタ３Ａと第２のコネクタ３Ｂにおいて、長リードＲ１の構造と、短リードＲ２の構造との相違、他の相違がある。第１のコネクタ３Ａと第２のコネクタ３Ｂで信号伝送のアンバランスがあり、個別にアンバランスを解消できない。
【００７８】
しかしながら、第１のコネクタ３Ａにおいて内側列電極８ａを形成する長リードＲ１の構造は互いに同一である。また、第２のコネクタ３Ｂにおいて外側列電極８ｂを形成する短リードＲ２の構造は互いに同一である。
【００７９】
このことから、第１のコネクタ３Ａにおいて、内側列電極８ａに接続するＰチャンネル配線６ａの信号伝送経路長と、内側列電極８ａに接続するＮチャンネル配線６ｂの信号伝送経路長が同一であり、オープンスタブの長さも同一である。
【００８０】
また、第２のコネクタ３Ｂにおいて、外側列電極８ｂに接続するＰチャンネル配線６ａの信号伝送経路長と、外側列電極８ｂに接続するＮチャンネル配線６ｂの信号伝送経路長が同一であり、オープンスタブの長さも同一である。
【００８１】
すなわち、電気回路装置Ｋｄ全体として、Ｐチャンネル配線６ａ側の信号伝送経路長と、Ｎチャンネル配線６ｂ側の信号伝送経路長が互いに同一長となる。さらに、Ｐチャンネル配線６ａ側のオープンスタブの長さと、Ｎチャンネル配線６ｂ側のオープンスタブの長さが互いに同一長となる。
【００８２】
したがって、第１のコネクタ３Ａおよび第２のコネクタ３ｂの、それぞれにおけるＰチャンネル配線６ａと、Ｎチャンネル配線６ｂでトレース長が同一となり、信号伝送のバランスがとれる。電気回路装置Ｋｄにおける差動信号伝送経路全体として辻褄を合せられ、差動ペアのアンバランスを解消でき、より大量の情報を、より速やかに伝送できる。
【００８３】
図９は、第５の実施の形態における電気回路装置Ｋｅの構成を、模式的に示す図である。  
フレキシブル配線基板５の一端部が第１のコネクタ３Ａに挿入されて、Ｐチャンネル配線６ａが外側列電極８ｂと接続され、Ｎチャンネル配線６ｂも外側列電極８ｂと接続される。これら外側列電極８ｂには信号線４Ａが接続され、第１のプリント配線基板１Ａに実装した電子部品２Ａへ引き出される。
【００８４】
また、フレキシブル配線基板５の他端部が第２のコネクタ３Ｂに挿入されて、Ｐチャンネル配線６ａが内側列電極８ａと接続され、Ｎチャンネル配線６ｂも内側列電極８ａと接続される。これら内側列電極８ａに信号線４Ｂが接続され、第２のプリント配線基板１Ｂに実装した電子部品２Ｂへ引き出される。
【００８５】
このようにして電気回路装置Ｋｅが構成されるが、第１のコネクタ３Ａと第２のコネクタ３Ｂにおいて、長リードＲ１の構造と、短リードＲ２の構造との相違、他の相違がある。第１のコネクタ３Ａと第２のコネクタ３Ｂで信号伝送のアンバランスがあり、個別にはアンバランスを解消できない。
【００８６】
しかしながら、第１のコネクタ３Ａにおいて外側列電極８ｂを形成する短リードＲ２の構造は互いに同一である。また、第２のコネクタ３Ｂにおいて内側列電極８ａを形成する長リードＲ１の構造は互いに同一である。
【００８７】
このことから、第１のコネクタ３Ａにおいて、外側列電極８ｂに接続するＰチャンネル配線６ａの信号伝送経路長と、外側列電極８ｂに接続するＮチャンネル配線６ｂの信号伝送経路長が同一であり、オープンスタブの長さも同一である。
【００８８】
また、第２のコネクタ３Ｂにおいて、内側列電極８ａに接続するＰチャンネル配線６ａの信号伝送経路長と、内側列電極８ａに接続するＮチャンネル配線６ｂの信号伝送経路長が同一であり、オープンスタブの長さも同一である。
【００８９】
すなわち、電気回路装置Ｋｅ全体として、Ｐチャンネル配線６ａ側の信号伝送経路長と、Ｎチャンネル配線６ｂ側の信号伝送経路長が互いに同一長となる。さらに、Ｐチャンネル配線６ａ側のオープンスタブの長さと、Ｎチャンネル配線６ｂ側のオープンスタブの長さが互いに同一長となる。
【００９０】
したがって、第１のコネクタ３Ａおよび第２のコネクタ３ｂの、それぞれにおけるＰチャンネル配線６ａと、Ｎチャンネル配線６ｂでトレース長が同一となり、信号伝送のバランスがとれる。電気回路装置Ｋｅにおける差動信号伝送経路全体として辻褄を合せられ、差動ペアのアンバランスを解消でき、より大量の情報を、より速やかに伝送できる。
【００９１】
図１０は、第６の実施の形態における電気回路装置Ｋｆの構成を、模式的に示す図である。  
フレキシブル配線基板５の一端部が第１のコネクタ３Ａに挿入されて、Ｐチャンネル配線６ａが外側列電極８ｂと接続され、Ｎチャンネル配線６ｂも外側列電極８ｂと接続される。これら外側列電極８ｂには信号線４Ａが接続され、第１のプリント配線基板１Ａに実装した電子部品２Ａへ引き出される。
【００９２】
また、フレキシブル配線基板５の他端部が第２のコネクタ３Ｂに挿入されて、Ｐチャンネル配線６ａが外側列電極８ｂと接続され、Ｎチャンネル配線６ｂも外側列電極８ｂと接続される。これら外側列電極８ｂに信号線４Ｂが接続され、第２のプリント配線基板１Ｂに実装した電子部品２Ｂへ引き出される。
【００９３】
このようにして電気回路装置Ｋｆが構成されるが、第１のコネクタ３Ａと第２のコネクタ３Ｂにおいて、長リードＲ１の構造と、短リードＲ２の構造との相違、他の相違がある。第１のコネクタ３Ａと第２のコネクタ３Ｂで信号伝送のアンバランスがあり、個別にアンバランスを解消できない。
【００９４】
しかしながら、第１のコネクタ３Ａにおいて外側列電極８ｂを形成する短リードＲ２の構造は互いに同一である。また、第２のコネクタ３Ｂにおいて外側列電極８ｂを形成する短リードＲ２の構造は互いに同一である。
【００９５】
このことから、第１のコネクタ３Ａにおいて、外側列電極８ｂに接続するＰチャンネル配線６ａの信号伝送経路長と、外側列電極８ｂに接続するＮチャンネル配線６ｂの信号伝送経路長が同一であり、オープンスタブの長さも同一である。
【００９６】
また、第２のコネクタ３Ｂにおいて、外側列電極８ｂに接続するＰチャンネル配線６ａの信号伝送経路長と、外側列電極８ｂに接続するＮチャンネル配線６ｂの信号伝送経路長が同一であり、オープンスタブの長さも同一である。
【００９７】
すなわち、電気回路装置Ｋｆ全体として、Ｐチャンネル配線６ａ側の信号伝送経路長と、Ｎチャンネル配線６ｂ側の信号伝送経路長が互いに同一長となる。さらに、Ｐチャンネル配線６ａ側のオープンスタブの長さと、Ｎチャンネル配線６ｂ側のオープンスタブの長さが互いに同一長となる。
【００９８】
したがって、第１のコネクタ３Ａおよび第２のコネクタ３ｂの、それぞれにおけるＰチャンネル配線６ａと、Ｎチャンネル配線６ｂでトレース長が同一となり、信号伝送のバランスがとれる。電気回路装置Ｋｆにおける差動信号伝送経路全体として辻褄を合せられ、差動ペアのアンバランスを解消でき、より大量の情報を、より速やかに伝送できる。
【００９９】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【０１００】
【図１】本発明における一実施の形態に係る、電気回路装置の概略の構成図。
【図２】同実施の形態に係る、コネクタ構造を説明する図。
【図３】同実施の形態に係る、フレキシブル配線基板端部の概略構成を示す図。
【図４】同実施の形態に係る、第１のコネクタにフレキシブル配線基板端部を接続した状態での概略構成を示す図。
【図５】本発明における第１の実施の形態に係る、電気回路装置の概略構成図。
【図６】本発明における第２の実施の形態に係る、電気回路装置の概略構成図。
【図７】本発明における第３の実施の形態に係る、電気回路装置の概略構成図。
【図８】本発明における第４の実施の形態に係る、電気回路装置の概略構成図。
【図９】本発明における第５の実施の形態に係る、電気回路装置の概略構成図。
【図１０】本発明における第６の実施の形態に係る、電気回路装置の概略構成図。
【符号の説明】
【０１０１】
６ａ…Ｐチャンネル配線、６ｂ…Ｎチャンネル配線、５…フレキシブル配線基板、３Ａ…第１のコネクタ、１Ａ…第１のプリント配線基板、８ａ…内側列電極、８ｂ…外側列電極、３Ｂ…第２のコネクタ、１Ｂ…第２のプリント配線基板。
【図１】
2010074095.tif 000003
【図２】
2010074095.tif 000004
【図３】
2010074095.tif 000005
【図４】
2010074095.tif 000006
【図５】
2010074095.tif 000007
【図６】
2010074095.tif 000008
【図７】
2010074095.tif 000009
【図８】
2010074095.tif 000010
【図９】
2010074095.tif 000011
【図１０】
2010074095.tif 000012